(57)【特許請求の範囲】
【請求項１】
中びん（２）口元に連通する開口（９）を備え、かつこの開口（９）より上部外方へ拡がった受部（１０）と、受部前部より前方へ拡がった内部空洞の嘴部（１１）と、受部外周端より下方へ垂下した外周壁部（１２）とを一体成形した肩部材（４）を設け、受部（１０）の開口（９）を形成する周壁前部より嘴部（１１）下端に向けて挿通孔（１３）を穿孔し、中びん（２）を囲んだ外装ケース（３）の上端に肩部材（４）を結合し、肩部材（４）の上端にベローズポンプ（２７）内蔵の蓋体（６）を設け、中びん（２）内に垂下した揚水パイプ（３３）の上端にエルボ（３４）を結合し、エルボ（３４）の他端を開口（９）側より挿通孔（１３）内に挿通し、嘴部（１１）側より挿通孔（１３）内に連結パイプ（３５）の後端を挿通し、連結パイプ（３５）の他端に転倒止水弁（３７）を備えたガイド筒（３６）を結合し、ガイド筒（３６）の上端に吐出パイプ（３８）の後端を結合し、吐出パイプ（３８）の先端を嘴部（１１）の前方下端に向けて突出する吐出機構（７）を設けて、ベローズポンプ（２７）の押圧にて吐出機構（７）を介して液体を吐出する空気圧利用のポットに於いて、上記嘴部（１１）の後方受部（１０）側に上下に貫通の後部貫通孔（１６）を穿設し、吐出機構（７）のガイド筒（３６）上部を嘴部（１１）内より後部貫通孔（１６）を挿通して突出し、嘴部（１１）の上方より嵌合して嘴部（１１）の上端を覆う嘴部カバー（１４）を設け、嘴部カバー（１４）上方より先端を嘴部（１１）の前方下端に挿通し、後端をガイド筒（３６）の上部に嵌合する吐出パイプ（３８）を着脱自在に設け、嘴部カバー（１４）上方の吐出パイプ（３８）を覆って嘴部カバー（１４）に着脱自在に装着するパイプカバー（２１）を設けていることを特徴とした空気圧利用のポット。
【発明の詳細な説明】
【０００１】
【産業上の利用分野】
本発明は吐出機構を内蔵した空気圧利用のポットに関するものである。
【０００２】
【従来の技術】
従来、空気圧利用のポットは真空二重の中びんを設け、中びんを囲む筒状の外装ケースを設け、中びん口元に連通する開口を備え、かつこの開口より上部外方へ拡がった受部と、受部前部より前方へ拡がって内部空洞の嘴部と、受部外周端より下方へ垂下した外周壁部とを一体成形した肩部材を設け、肩部材の外周壁部下端を外装ケースの上端内周に結合し、外装ケースの下端に底部材を結合し、肩部材の上面にベローズポンプ内蔵の蓋体を設け、中びん内の液体を吐出する吐出機構を設け、ベローズポンプの押圧にて吐出機構を介して液体を吐出していた。
【０００３】
更に、肩部材は受部の開口を形成する周壁前部より嘴部下端に向けて挿通孔を穿設し、中びん内の液体を吐出する吐出機構は中びん内に揚水パイプを垂下し、この揚水パイプの上端にエルボを結合して、このエルボを開口側より挿通孔に連結する一方、挿通孔の嘴部側に連結パイプの後端を連結し、この連結パイプの先端に転倒止水弁を備えたガイド筒を結合し、嘴部内でガイド筒の上端に吐出パイプを連結し、吐出パイプの先端を嘴部内より前方下端に向けて突出していた。
【０００４】
【発明が解決しようとする課題】
ところが、この種の空気圧利用のポットは嘴部内に吐出パイプを設置し、嘴部内を覆うカバーを嘴部下端周壁に結合した後に、外装ケースの上端に肩部材を結合していたので、頻繁に使用される水道水等によって、吐出パイプ内壁に不純物が溜まったり、又、このポットを誤って転倒させ、吐出パイプを破損すると肩部材の嘴部内に納まった吐出パイプが取外しできず、簡単に吐出パイプの交換をすることができないという問題点があった。
【０００５】
そこで、本発明はこのような従来の空気圧利用のポットが有していた課題を解決したものであって、構造が至って簡単で、吐出パイプを簡単に取外して清掃することができると共に容易に組立できることを目的とした空気圧利用のポットを提供するにある。
【０００６】
【課題を解決するための手段】
上記目的を達成するために、本発明の空気圧利用のポットは中びん２口元に連通する開口９を備え、かつこの開口９より上部外方へ拡がった受部１０と、受部前部より前方へ拡がった内部空洞の嘴部１１と、受部外周端より下方へ垂下した外周壁部１２とを一体成形した肩部材４を設け、受部１０の開口９を形成する周壁前部より嘴部１１下端に向けて挿通孔１３を穿孔し、中びん２を囲んだ外装ケース３の上端に肩部材４を結合し、肩部材４の上端にベローズポンプ２７内蔵の蓋体６を設け、中びん２内に垂下した揚水パイプ３３の上端にエルボ３４を結合し、エルボ３４の他端を開口９側より挿通孔１３内に挿通し、嘴部１１側より挿通孔１３内に連結パイプ３５の後端を挿通し、連結パイプ３５の他端に転倒止水弁３７を備えたガイド筒３６を結合し、ガイド筒３６の上端に吐出パイプ３８の後端を結合し、吐出パイプ３８の先端を嘴部１１の前方下端に向けて突出する吐出機構７を設けて、ベローズポンプ２７の押圧にて吐出機構７を介して液体を吐出する空気圧利用のポットに於いて、上記嘴部１１の後方受部１０側に上下に貫通の後部貫通孔１６を穿設し、吐出機構７のガイド筒３６上部を嘴部１１内より後部貫通孔１６を挿通して突出し、嘴部１１の上方より嵌合して嘴部１１の上端を覆う嘴部カバー１４を設け、嘴部カバー１４上方より先端を嘴部１１の前方下端に挿通し、後端をガイド筒３６の上部に嵌合する吐出パイプ３８を着脱自在に設け、嘴部カバー１４上方の吐出パイプ３８を覆って嘴部カバー１４に着脱自在に装着するパイプカバー２１を設けてなる構成としている。
【０００７】
【発明の実施の形態】
以下、本発明の実施例について図に基づき説明する。
図中、図１は本発明実施例の縦断面図、図２は本発明実施例の肩部材の縦断面図、図３は本発明実施例の要部を示す分解斜視図、図４は本発明実施例の嘴部カバーを嵌合した状態の分解斜視図、図５は本発明実施例の吐出パイプを連結した状態の分解斜視図である。
空気圧利用のポット１は図１に示すように、中びん２を囲んだ外装ケース３と、外装ケース３の上端に結合した肩部材４と、外装ケース３の下端に結合した底部材５と、肩部材４の上端に着脱自在に装着した蓋体６と、中びん２内の液体を外部へ吐出する吐出機構７とから構成されている。８はハンドルである。
【０００８】
中びん２はガラス、又はステンレス製の真空二重びんである。
外装ケース３は薄い鉄板にて上端より下端にかけて末広がり状とした筒状に形成し、上端を内側斜下方に向けて鉤型状に折り曲げ、下端を内側へネジ輪を嵌め込んだ状態でカーリングしている。
【０００９】
肩部材４は中びん２口元に連通する開口９を備え、かつ、この開口９より上部外方へ拡がった受部１０と、受部１０前部より前方へ拡がって内部空洞の嘴部１１と、受部１０外周端より下方へ垂下した外周壁部１２とを一体成形している。
肩部材４は図２に示すように、中央の開口９を形成する周壁前部より嘴部１１内に向けて挿通孔１３を穿設している。
【００１０】
肩部材４の嘴部１１は内部中空で上端を開口し、下端を閉鎖しており、上端を嘴部カバー１４にて覆っている。
この嘴部１１は図２に示すように、閉鎖された下端の前方壁面に上下に貫通の前部貫通孔１５を穿設し、上端後方の壁面に上下に貫通の後部貫通孔１６を穿設している。
この後部貫通孔１６には図４に示すように、後述のガイド筒３６の上部を下側から貫通突出している。
【００１１】
嘴部１１の上端を覆う嘴部カバー１４は図３に示すように、前方に嘴部１１の前部貫通孔１５と連通する開口を設け、中央を一段と下げた中央溝１７を設け、この中央溝１７の両側中央に後述の蓋体６のロック装置をロックする係合溝１８、１８を設け、下部外側壁に嘴部１１の嵌合孔１９に嵌合する嵌合片２０を設けている。この嵌合片２０を嵌合孔１９に嵌合すると同時に嘴部カバー１４の後端両側の垂下した垂下棒を嘴部１１の垂下孔内に通して、嘴部１１の上端に嘴部カバー１４を装着している。
【００１２】
この嘴部カバー１４の中央溝１７を覆うパイプカバー２１は後述の吐出パイプ３８を中央溝１７内に配置した状態で嘴部カバー１４に着脱自在に装着している。
このパイプカバー２１は後端を受部１０の係合孔２２に係合し、先端の係止片２３を嘴部カバー１４の係止孔２４に係止している。
【００１３】
このパイプカバー２１は図５に示すように、嘴部カバー１４の係合溝１８内に両側より指を入れて引き上げれば、嘴部カバー１４の係止孔２４より係止片２３がはずれて、中央溝１７内に配置した状態の後述の吐出パイプ  を容易に引っ張り上げ、取り外すことができる。
【００１４】
底部材５はネジ輪に螺着する底輪２５と、底輪２５に螺着する締上げ部材２６とからなっている。
蓋体６はヒンジにて肩部材４の受部１０後端上方に枢支され、ロック装置にて肩部材４に着脱自在に装着しており、ベローズポンプ２７と、ベローズポンプ２７を押上げているスプリング２８と、ベローズポンプ２７の上部開口を開閉するブッシュ弁２９と、このブッシュ弁２９を押圧し、ベローズポンプ２７内の空気を中びん２内に圧送する押板３０とを内蔵し、下面を下蓋３１にて覆い、上面を上蓋３２にて覆っている。
【００１５】
吐出機構７は図３に示すように、中びん２内に垂下した揚水パイプ３３と、下端を揚水パイプ３３の上端に結合し、他端を肩部材４の挿通孔１３内に挿通するエルボ３４と、後端を嘴部１１側より挿通孔１３内に挿通し、他端を嘴部１１内のガイド筒３６下端に結合する連結パイプ３５と、ポット転倒時にのみ連結パイプ３５内を通る液体の流れを阻止する転倒止水弁３７を備えたガイド筒３６と、後端をガイド筒３６上部に連結し、先端を嘴部１１内前方下端に向けた吐出パイプ３８とからなっている。
【００１６】
ガイド筒３６は嘴部１１内にあって内部に転倒止水弁３７を備えた下部と嘴部１１内より後部貫通孔１６を突出した上部とを別体に形成した後、その両者の接合部を隙間なく結合している。
吐出パイプ３８は後端を後部貫通孔１６より突出したガイド筒３６の上部に着脱自在に装着し、嘴部カバー１４の中央溝１７内に配置され、先端を嘴部１１の前部貫通孔１５を貫通して前方下端に突出している。
【００１７】
この吐出パイプ３８は前部と後部とを別体に成形した後に結合しているが、特に、嘴部カバー１４より取り出せれば一体的に成形しても何ら支障をきたすものではない。
【００１８】
吐出パイプの交換又は清掃に際しては、先ず嘴部カバー１４の二つの係合溝１８、１８内に指を入れて、パイプカバー２１の両側よりパイプカバー２１を持ち上げれば、パイプカバー２１の係止片２３が嘴部カバー１４の係止孔２４よりはずれて、パイプカバー２１の前方がはずれ、更に斜め前方に引けば、パイプカバー２１の後端が受部１０の係合孔２２よりはずれる。
【００１９】
次に、吐出パイプ３８を持ち上げれば図４に示すように、はずれて吐出パイプ３８の交換ができ、又、吐出パイプ３８内の清掃も簡単にできる。交換又は清掃後、図５に示すように、嘴部１１の後部貫通孔１６より突出したガイド筒３６の上部に向けて吐出パイプ３８後部を差し込むと同時に前部を嘴部１１の前部貫通孔１５に向けて差し込んだ後、パイプカバー２１の後端を受部１０の係合孔２２に差し込み、前端を押し下げればパイプカバー２１の係止片２３が嘴部カバー１４の係止孔２４内に係止してセット完了する。
【００２０】
以上本発明の代表例と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【００２１】
【発明の効果】
以上の説明から既に明らかなように、本発明にいうところの空気圧利用のポットは中びん口元に連通する開口を備え、かつこの開口より上部外方へ拡がった受部と、受部前部より前方へ拡がった内部空洞の嘴部と、受部外周端より下方へ垂下した外周壁部とを一体成形した肩部材を設け、受部の開口を形成する周壁前部より嘴部下端に向けて挿通孔を穿孔し、中びんを囲んだ外装ケースの上端に肩部材を結合し、肩部材の上端にベローズポンプ内蔵の蓋体を設け、中びん内に垂下した揚水パイプの上端にエルボを結合し、エルボの他端を開口側より挿通孔内に挿通し、嘴部側より挿通孔内に連結パイプの後端を挿通し、連結パイプの他端に転倒止水弁を備えたガイド筒を結合し、ガイド筒の上端に吐出パイプの後端を結合し、吐出パイプの先端を嘴部の前方下端に向けて突出する吐出機構を設けて、ベローズポンプの押圧にて吐出機構を介して液体を吐出する空気圧利用のポットに於いて、上記嘴部の後方受部側に上下に貫通の後部貫通孔を穿設し、吐出機構のガイド筒上部を嘴部内より後部貫通孔を挿通して突出し、嘴部の上方より嵌合して嘴部の上端を覆う嘴部カバーを設け、嘴部カバー上方より先端を嘴部の前方下端に挿通し、後端をガイド筒の上部に嵌合する吐出パイプを着脱自在に設け、嘴部カバー上方の吐出パイプを覆って嘴部カバーに着脱自在に装着するパイプカバーを設けてなる構成としているものであるから、構造が至って簡単で、吐出パイプを簡単に取外して清掃することができると共に容易に組立できるという顕著な効果を期待することが出来るに至ったのである。
【図面の簡単な説明】
【図１】本発明実施例の縦断面図。
【図２】本発明実施例の肩部材の縦断面図。
【図３】本発明実施例の要部を示す分解斜視図。
【図４】本発明実施例の嘴部カバーを嵌合した状態の分解斜視図。
【図５】本発明実施例の吐出パイプを連結した状態の分解斜視図。
【符号の説明】
１…ポット
２…中びん
３…外装ケース
４…肩部材
６…蓋体
７…吐出機構
９…開口
１０…受部
１１…嘴部
１３…挿通孔
１４…嘴部カバー
１６…後部貫通孔
２１…パイプカバー
２７…ベローズポンプ
３３…揚水パイプ
３４…エルボ
３５…連結パイプ
３６…ガイド筒
３７…転倒止水弁
３８…吐出パイプ
【図１】
0004530553.tif 000002
【図２】
0004530553.tif 000003
【図３】
0004530553.tif 000004
【図４】
0004530553.tif 000005
【図５】
0004530553.tif 000006